(57)【特許請求の範囲】
【請求項１】
断熱性を具備し、１つの側面が開閉自在に構成された外装箱と、
前記１つの側面から引き出し可能に前記外装箱に収容された内装トレイとを有し、
前記外装箱は、保冷材が収納される収納ポケットが内側面に設けられ、
前記内装トレイの前記外装箱からの一定量以上の引き出しを防止する引き出し規制手段を有し、
前記引き出し規制手段は、前記外装箱と前記内装トレイとを連結した可撓性部材である、保冷箱。
【請求項２】
請求項１に記載の保冷箱において、
前記可撓性部材は、シート状であり、前記内装トレイの引き出し方向奥側の端辺全域と前記外装箱とに接合されている、保冷箱。
【発明の詳細な説明】
【技術分野】
【０００１】
本発明は、物品を収容して保冷する保冷箱に関し、特に、収容された物品を取り出しやすくする技術に関する。
【背景技術】
【０００２】
近年、物流システムにおいては、物品を低温で輸送するサービスが、陸送、空輸を問わず提供されている。物品を低温で輸送する場合は、例えば、断熱性を有する保冷箱に物品とともに保冷材を収容し、この保冷材の冷気によって物品を保冷しながら輸送することが考えられる。また、倉庫内にて物品を低温で保管する場合も同様に、断熱性を有する保冷箱に物品とともに保冷材を収容し、保冷材の冷気によって物品を保冷しながら保管することが考えられる。
【０００３】
このように物品を保冷した状態で収容する保冷箱においては、一般に、扉部や蓋部を有し、この扉部や蓋部が開放された状態で物品が取り出されることとなる。その際、扉部や蓋部が開放された状態が長く続くと、外気によって内部の温度が上昇してしまう。特に、奥の方に収容された物品を取り出す場合は、手前に収容された物品を一旦取り出し、所望の物品を取り出した後に、手前に収容されていた物品を再び収容することとなり、外気によって内部の温度が上昇しやすくなってしまう。
【０００４】
そのため、上述したような保冷箱においては、外気による内部の温度の上昇を抑制するために、物品が取り出しやすい構造であることが望まれる。
【０００５】
例えば特許文献１には、観音開き式の扉を有するとともに、内部に設けられた棚上にトレイを載置し、扉が開放された状態でトレイを引き出すことで、トレイに載せられた物品を取り出すことができる貯蔵庫が開示されている。このように、トレイを引き出して物品を取り出す構成とすることで、特に奥の方に収容された物品を取り出しやすくすることができ、それにより、物品を取り出す際に外気による内部の温度の上昇を抑制することができる。
【先行技術文献】
【特許文献】
【０００６】
【特許文献１】特開平７−１４６０５９号公報
【発明の概要】
【発明が解決しようとする課題】
【０００７】
しかしながら、上述したようにトレイを引き出すことで、トレイに載せられた物品を取り出す構成を有する保冷箱においては、トレイを引き出しすぎた場合、トレイが保冷箱から脱落し、それに伴って物品がトレイから脱落してしまう虞れがある。物品がトレイから脱落した場合、物品が破損してしまう場合も生じる。
【０００８】
また、物品がトレイから脱落した場合、トレイから脱落した物品をトレイ上に再度載せて保冷箱に収容する作業が生じ、それにより、保冷箱が開放された状態が長く続き、外気によって保冷箱の内部の温度が上昇してしまうという問題点がある。
【０００９】
本発明は、上述したような従来の技術が有する問題点に鑑みてなされたものであって、トレイによって物品を取り出しやすくしながらも、トレイの脱落を回避することができる保冷箱を提供することを目的とする。
【課題を解決するための手段】
【００１０】
上記目的を達成するために本発明は、
断熱性を具備し、１つの側面が開閉自在に構成された外装箱と、
前記１つの側面から引き出し可能に前記外装箱に収容された内装トレイとを有し、
前記外装箱は、保冷材が収納される収納ポケットが内側面に設けられ、
前記内装トレイの前記外装箱からの一定量以上の引き出しを防止する引き出し規制手段を有し、
前記引き出し規制手段は、前記外装箱と前記内装トレイとを連結した可撓性部材である。
【００１１】
上記のように構成された本発明においては、外装箱に収容された内装トレイ上に物品が載置されるとともに、外装箱の内側面に設けられた収納ポケットに保冷材が収納されることで物品が保冷されることになる。そして、内装トレイが外装箱の１つの側面から引き出されることにより、保冷箱から物品が取り出されることになるが、その際、内装トレイの外装箱からの一定量以上の引き出しが引き出し規制手段によって防止されるので、内装トレイが引き出されすぎて外装箱から脱落してしまうことが回避される。
【００１２】
それにより、物品が内装トレイから脱落して破損してしまったり、内装トレイから脱落した物品を内装トレイ上に再度載置して保冷箱に収容する作業が生じることで保冷箱の内部の温度が上昇してしまったりすることがなくなる。
【００１４】
また、可撓性部材が、シート状であり、内装トレイの引き出し方向奥側の端辺全域と外装箱とに接合されていれば、内装トレイを外装箱から引き出した際に、内装トレイ上に載置された物品が内装トレイの奥側に脱落して内装トレイを外装箱に収容できなくなってしまうことが回避される。
【００１５】
また、内装トレイが断熱性を有する構成とすることが考えられる。その場合、内装トレイが外装箱から引き出された状態において、内装トレイ上に載置された物品が、内装トレイの下面から外気によって暖められてしまうことが抑制される。
【００１６】
また、収納ポケットが、外装箱の内側面に着脱可能に設けられている構成とすることが考えられる。その場合、保冷材を収納ポケットに収納した状態で冷凍庫等にて凝固させることができる。
【発明の効果】
【００１７】
本発明によれば、物品が載置される内装トレイが、外装箱に引き出し可能に収容されているため、内装トレイを外装箱から引き出した状態で物品を取り出すことで、物品を取り出しやすくすることができ、また、その際、内装トレイの外装箱からの一定量以上の引き出しが引き出し規制手段によって防止されるため、内装トレイが引き出されすぎて外装箱から脱落してしまうことを回避することができる。
【００１８】
また、引き出し規制手段が、外装箱と内装ケースとを連結した可撓性部材であるものにおいて、可撓性部材が、シート状であり、内装トレイの引き出し方向奥側の端辺全域と外装箱とに接合されているものにおいては、内装トレイを外装箱から引き出した際に、内装トレイ上に載置された物品が内装トレイの奥側に脱落して内装トレイを外装箱に収容できなくなってしまうことを回避できる。
【図面の簡単な説明】
【００１９】
【図１】本発明の保冷箱の第１の実施の形態を示す図であり、（ａ）は手前側から見た外観斜視図、（ｂ）は内部の構造を示す図、（ｃ）は奥側から見た外観斜視図である。
【図２】図１に示した保冷箱における内装トレイの取付け構造を示す図であり、（ａ）は連結シートが接合されていない状態を示す外観斜視図、（ａ）は連結シートが接合された状態を示す外観斜視図、（ａ）は連結シートが接合された状態を側面方向から見た図である。
【図３】図１及び図２に示した保冷箱の使用方法を説明するための図である。
【図４】図１及び図２に示した保冷箱の使用方法を説明するための図である。
【図５】図１及び図２に示した保冷箱において連結部が連結シートからなることによる効果を説明するための図である。
【図６】図１に示した保冷箱にカーテンを取り付けた構成例を示す図である。
【図７】図１及び図２に示した保冷箱の具体的な使用状態の一例を示す図である。
【図８】本発明の保冷箱の第２の実施の形態を示す図であり、（ａ）は外観斜視図、（ｂ）は内部の構造を示す図である。
【図９】図８に示した保冷箱の使用方法を説明するための図である。
【図１０】本発明の保冷箱の第３の実施の形態を示す図であり、（ａ）は内装トレイを除いた内部の構造を示す図、（ｂ）は内装トレイの構造を示す図である。
【図１１】図１０に示した保冷箱における内装トレイの取付け構造を示す図であり、（ａ）は内装トレイが引き出されていない状態を示す図、（ｂ）は内装トレイが引き出された状態を示す図である。
【図１２】本発明の保冷箱の第４の実施の形態を示す図であり、（ａ）は外観斜視図、（ｂ）は内部の構造を示す図である。
【図１３】図１２に示した保冷箱の使用方法を説明するための図である。
【発明を実施するための形態】
【００２０】
以下に、本発明の実施の形態について図面を参照して説明する。
【００２１】
（第１の実施の形態）
図１は、本発明の保冷箱の第１の実施の形態を示す図であり、（ａ）は手前側から見た外観斜視図、（ｂ）は内部の構造を示す図、（ｃ）は奥側から見た外観斜視図である。図２は、図１に示した保冷箱１における内装トレイ２０の取付け構造を示す図であり、（ａ）は連結シート４１，４２が接合されていない状態を示す外観斜視図、（ａ）は連結シート４１，４２が接合された状態を示す外観斜視図、（ａ）は連結シート４１，４２が接合された状態を側面方向から見た図である。
【００２２】
本形態は図１に示すように、天面２、底面３、扉部４ａ，４ｂ及び３つの側面５ａ〜５ｃからなる外装箱１ａに、内装トレイ２０が収容されてなる保冷箱１である。扉部４ａ，４ｂはそれぞれ、側面５ａ，５ｂとの連接辺を軸として回動自在となっており、観音開き構造を構成している。これにより、天面２、底面３、扉部４ａ，４ｂ及び３つの側面５ａ〜５ｃからなる外装箱１ａは、扉部４ａ，４ｂによってその１つの側面が開閉自在に構成されたものとなっている。
【００２３】
天面２、底面３、扉部４ａ，４ｂ及び側面５ａ〜５ｃのそれぞれは、アルミシート等の断熱性を有する材料から構成されており、その内側面に断熱板１２，１３，１４ａ，１４ｂ，１５ａ〜１５ｃが取り付けられている。断熱板１２，１３，１４ａ，１４ｂ，１５ａ〜１５ｃは、例えばポリスチレンからなる断熱材がＵＶクロスやアルミクロス等に包まれて構成されている。
【００２４】
天面２は、保冷箱１の手前側が、断熱板１４ａ，１４ｂの厚さ分だけ断熱板１２よりも突出しており、それにより、扉部４ａ，４ｂが閉じられた際に、天面２と断熱板１２との段差部分に断熱板１４ａ，１４ｂが入り込むようになっている。断熱板１２は、天面２とは反対側の面に、保冷材が収納される収納ポケット３０が取り付けられているとともに、保冷箱１の手前側の側面に面ファスナー２ａが２つ取り付けられている。また、天面２は、側面５ａ，５ｂとの連接辺に２つずつ接合舌部５ｄが取り付けられており、この接合舌部５ｄはそれぞれ、一方の面に面ファスナー５ｅが取り付けられている。
【００２５】
側面５ａ，５ｂはそれぞれ、保冷箱１の手前側が、断熱板１４ａ，１４ｂの厚さ分だけ断熱板１５ａ，１５ｂよりも突出しており、それにより、扉部４ａ，４ｂが閉じられた際に、側面５ａ，５ｂと断熱板１５ａ，１５ｂとの段差部分に断熱板１４ａ，１４ｂが入り込むようになっている。断熱板１５ａ，１５ｂはそれぞれ、側面５ａ，５ｂとは反対側の面に、保冷材が収納される収納ポケット３０が取り付けられている。また、側面５ａ，５ｂはそれぞれ、底面３との連接辺に隣接する領域に２つずつ面ファスナー５ｆが取り付けられている。
【００２６】
側面５ｃに取り付けられた断熱板１５ｃは、側面５ｃとは反対側の面に、保冷材が収納される収納ポケット３０が取り付けられている。
【００２７】
底面３は、保冷箱１の手前側が、断熱板１４ａ，１４ｂの厚さ分だけ断熱板１３よりも突出しており、それにより、扉部４ａ，４ｂが閉じられた際に、底面３と断熱板１３との段差部分に断熱板１４ａ，１４ｂが入り込むようになっている。断熱板１３は、保冷箱１の手前側の側面に面ファスナー３ａが２つ取り付けられている。また、底面３は、側面５ｃとの連接辺に２つの固定ベルト３ｂが取り付けられている。
【００２８】
扉部４ａは、側面５ａとの連接辺とは反対側の辺から一定幅を有して延びた覆部４ｃが設けられているとともに、帯状の接合ベルト４ｂが取り付けられており、接合ベルト４ｂの先端部には面ファスナー４ｅが取り付けられている。断熱板１４ａは、扉部４ａが閉じられた際に面ファスナー２ａ，３ａと対向する領域のそれぞれに、面ファスナー４ｆ，４ｇが取り付けられている。
【００２９】
扉部４ｂは、扉部４ａ，４ｂが閉じられた際に接合ベルト４ｄの面ファスナー４ｅと対向する領域に面ファスナー（不図示）が取り付けられている。断熱板１４ｂは、扉部４ｂが閉じられた際に面ファスナー２ａ，３ａと対向する領域のそれぞれに、面ファスナー４ｆ，４ｇが取り付けられている。
【００３０】
なお、収納ポケット３０は、断熱板１２，１５ａ〜１５ｃに縫合等によって固着されていてもよいし、面ファスナー等によって着脱可能に設けられていてもよい。収納ポケット３０が、断熱板１２，１５ａ〜１５ｃに着脱可能に設けられていれば、収納ポケット３０に保冷材を収納した状態で保冷材を冷凍庫等にて凝固させることができる。
【００３１】
上記のように構成された外装箱１ａに、内装トレイ２０が扉部４ａ，４ｂ側から引き出し可能に収容されている。
【００３２】
内装トレイ２０は、断熱板２２上に、樹脂等からなる平板２１が重ね合わされて構成されている。断熱板２２は、例えばポリスチレンからなる断熱材がＵＶクロスやアルミクロス等に包まれて構成されており、保冷箱１の手前側に、縫合等によって取っ手２３が取り付けられている。内装トレイ２０は、図２に示すように、引き出し規制手段となる連結部４０によって外装箱１ａと連結されている。連結部４０は、その一辺が側面５ｃの断熱板１５ｃと底面３の断熱板１３との連接辺全域に渡って縫合等によって接合された連結シート４１と、その一辺が、断熱板２２の引き出し方向奥側の端辺全域に縫合等によって接合された連結シート４２とから構成されている。連結シート４１，４２は、ＵＶクロスやアルミクロス等の可撓性を有するシート状の可撓性部材である。連結シート４１は、側面５ｃの断熱板１５ｃと底面３の断熱板１３との連接辺に接合された辺とは反対側の辺に沿って、面ファスナー４１ａが取り付けられている。連結シート４２は、断熱板１３の引き出し方向奥側の端辺から立ち上がるようにして断熱板１３に接合されており、断熱板１３と接合された辺とは反対側の辺に沿って、面ファスナー４２ａが取り付けられている。そして、これら面ファスナー４１ａと面ファスナー４２ａとが嵌合することで、連結シート４１と連結シート４２とが連結してなる連結部４０が構成され、この連結部４０を介して、内装トレイ２０と外装箱１ａとが連結した状態となっている。
【００３３】
なお、連結シート４１を、面ファスナーによって断熱板１３あるいは断熱板１５ｃに取り外し可能に取り付け、また、同様に、連結シート４２を面ファスナーによって断熱板２２に取り外し可能に取り付ける構成とすれば、連結シート４１，４２が破損した場合等に交換することが可能となる。
【００３４】
以下に、上記のように構成された保冷箱１の使用方法について説明する。
【００３５】
図３及び図４は、図１及び図２に示した保冷箱１の使用方法を説明するための図であり、図３は外観斜視図、図４は側面方向から保冷箱１の内部構造を見た図である。
【００３６】
図１及び図２に示した保冷箱１を用いて物品を保冷する場合は、図３（ａ）及び図４（ａ）に示すように、凝固した保冷材６を収納ポケット３０に収納するとともに、保冷する物品７を内装トレイ２０上に載置する。そして、内装トレイ２０が保冷箱１内に収容された状態で扉部４ａ，４ｂを閉じることで、保冷箱１の内部の温度が保冷材６によって低温に保たれ、物品１が保冷されることとなる。その際、天面２、底面３、扉部４ａ，４ｂ及び側面５ａ〜５ｃのそれぞれが、アルミシート等の断熱性を有する材料から構成されているとともに、その内側面に断熱板１２，１３，１４ａ，１４ｂ，１５ａ〜１５ｃが取り付けられていることにより、保冷箱１の内部の温度が外気によって上昇してしまうことが回避される。また、扉部４ａ，４ｂが閉じられると、扉部４ａ，４ｂの断熱板１４ａ，１４ｂにそれぞれ取り付けられた面ファスナー４ｆ，４ｇと、天面２及び底面３の断熱板１２，１３にそれぞれ取り付けられた面ファスナー２ａ，３ａとが嵌合することで、扉部４ａ，４ｂが閉じられた状態が保たれ、扉部４ａ，４ｂが不用意に開いて保冷箱１内の冷気が外部に逃げてしまうことが回避される。また、扉部４ａ，４ｂが閉じられた状態で、接合ベルト４ｄに取り付けられた面ファスナー４ｅを、扉部４ｂのこれに対向する領域に取り付けられた面ファスナーとを嵌合させることによっても、扉部４ａ，４ｂが不用意に開いて保冷箱１内の冷気が外部に逃げてしまうことが回避される。また、扉部４ａには、側面５ａとの連接辺とは反対側の辺から一定幅を有して延びた覆部４ｃが設けられており、扉部４ａ，４ｂが閉じられると、覆部４ｃが扉部４ｂの一部を覆うこととなるため、扉部４ａ，４ｂが閉じられた状態にて扉部４ａ，４ｂ間に隙間が生じていたとしても、保冷箱１内の冷気がその隙間から外部に逃げてしまうことが回避される。また、扉部４ａ，４ｂが閉じられた際に、天面２と断熱板１２との段差部分、底面３と断熱板１３との段差部分、並びに側面５ａ，５ｂと断熱板１５ａ，１５ｃとの段差部分に断熱板１４ａ，１４ｂが入り込むことにより、保冷箱１の気密性を高めることができる。
【００３７】
このように保冷箱１を用いて物品７を保冷する場合は、連結シート４１，４２が撓んだ状態となることで、内装トレイ２０を外装箱１ａ内に収容して扉部４ａ，４ｂを閉じることができる。その際、連結シート４２が、断熱板２２の引き出し方向奥側の端辺から立ち上がるようにして断熱板２２に接合されていることにより、連結シート４１，４２が撓んでいくと、図２（ｃ）に示したように、連結シート４１，４２からなる連結部４０は、断熱板２２の引き出し方向奥側の端辺からまず底面３及び断熱板１３とは反対方向に向かい、その後、側面５ｃの断熱板１５ｃと底面３の断熱板１３との連接辺に向かうようになる。そのため、連結シート４１，４２の硬さをその長さに応じて調整することにより、連結シート４１，４２が、断熱板１３に接して内装トレイ２０と側面５ｃの断熱板１５ｃとの間に入り込んでしまうことが回避される。
【００３８】
保冷箱１に収容された物品７を取り出す場合は、扉部４ａ，４ｂを開け、図３（ｂ）及び図４（ｂ）に示すように、内装トレイ２０を外装箱１ａから引き出す。その際、断熱板２２に取り付けられた取っ手２３を掴んで内装トレイ２０を引き出すことができる。また、扉部４ａ，４ｂがそれぞれ、側面５ａ，５ｂとの連接辺を軸として回動自在な観音開き構造を構成していることにより、扉部４ａ，４ｂを開けるために保冷箱１の手前にて必要となるスペースが小さくて済む。
【００３９】
内装トレイ２０は、連結シート４１，４２からなる連結部４０を介して側面５ｃの断熱板１５ｃと底面３の断熱板１３との連接辺に連結されているため、連結シート４１，４２の連結方向における連結部４０の長さだけ引き出すことができ、それ以上引き出すことはできない。そのため、連結部４０の長さを長くすればそれだけ内装トレイ２０の引き出し量を多くすることができるが、連結部４０の長さが、断熱板１３の内装トレイ２０の引き出し方向の長さよりも長くなると、内装トレイ２０が断熱板１３上から脱落してしまうため、断熱板１３の内装トレイ２０の引き出し方向の長さよりも短くする必要がある。ただし、内装トレイ２０が外装箱１ａから引き出された場合、内装トレイ２０のうち引き出された部分においてはその下部に断熱板１３が存在しない状態となるため、連結部４０の長さが断熱板１３の長さよりも短い場合であっても、内装トレイ２０の引き出された部分の大きさによっては、内装トレイ２０が不安定な状態となり、内装トレイ２０上に載置された物品７が脱落してしまう虞れがある。そのため、連結部４０の連結シート４１，４２の連結方向の長さは、断熱板１３の内装トレイ２０の引き出し方向の長さの半分程度とすることが好ましい。
【００４０】
なお、断熱板１３，２２のそれぞれに、内装トレイ２０の引き出し方向に延びたレールを設け、このレールに沿って内装トレイ２０が引き出される構成とすれば、内装トレイ２０を外装箱１ａからスムーズに引き出すことができる。
【００４１】
また、扉部４ａ，４ｂを開けた際に、扉部４ａ，４ｂが側面５ａ，５ｂのそれぞれと平行となる角度以上開かない構成とすることも考えられる。そのような構成とすることにより、内装トレイ２０を引き出した際に、内装トレイ２０上に載置された物品７が内装トレイ２０の左右方向に倒れて内装トレイ２０から脱落してしまうことを回避できる。
【００４２】
このように内装トレイ２０を外装箱１ａから引き出すことで、保冷箱１の手前側に収容された物品７を一旦取り出すことなく、保冷箱１の奥の方に収容された物品７を容易に取り出すことができるようになる。そして、そのような構成としながらも、連結部４０によって内装トレイ２０の外装箱１ａからの一定量以上の引き出しを防止することにより、内装トレイ２０が引き出されすぎて保冷箱１から脱落してしまうことが回避される。また、それにより、物品７が内装トレイ２０から脱落して破損してしまったり、内装トレイ２０から脱落した物品を内装トレイ２０上に再度載置して保冷箱１に収容する作業が生じることで保冷箱１の内部の温度が上昇してしまったりすることが回避される。また、内装トレイ２０が、平板２１が断熱板２２上に重ね合わされて構成されることで断熱性を有していることにより、内装トレイ２０が外装箱１ａから引き出された状態においても、内装トレイ２０上に載置された物品７が、内装トレイ２０の下面から外気によって暖められてしまうことを抑制することができるとともに、内装トレイ２０上に物品７を載置すること等によって断熱板２２が傷ついてしまうことを回避できる。
【００４３】
以下に、連結部４０が２つの連結シート４１，４２からなり、その一辺が、内装ケース２０の引き出し方向奥側の端辺全域に接合されていることによる効果について説明する。
【００４４】
図５は、図１及び図２に示した保冷箱１において連結部４０が連結シート４１，４２からなることによる効果を説明するための図である。
【００４５】
保冷箱１に収容された物品を取り出すために、上記のようにして内装トレイ２０を引き出すと、引き出された内装トレイ２０の奥側に空間が生じる。そのため、内装トレイ２０の奥の方に載置された物品７が、内装トレイ２０を引き出す際の振動等によって内装トレイ２０の奥側に倒れた場合、内装トレイ２０からその空間に脱落してしまう虞れがある。すると、内装トレイ２０を外装箱１ａに再度収容しようとした際、内装トレイ２０から脱落した物品７が、内装トレイ２０と断熱板１５ｃとの間に挟み込まれ、内装トレイ２０を保冷箱１に収容することができなくなってしまう。
【００４６】
ところが、本形態の保冷箱１においては、連結部４０が２つの連結シート４１，４２からなり、その一辺が、内装ケース２０の引き出し方向奥側の端辺全域に接合されていることにより、内装トレイ２０の奥の方に載置された物品７が、内装トレイ２０の奥側に倒れた場合、図５に示すように、倒れた物品７は、引き出された内装トレイ２０の奥側に生じた空間に脱落せず、連結シート４１上に倒れ込んだ状態となる。そのため、内装トレイ２０を外装箱１ａに再度収容しようとした場合に、内装トレイ２０と断熱板１５ｃとの間に物品７が挟み込まれて内装トレイ２０を保冷箱１に収容することができなくなってしまうことが回避される。
【００４７】
なお、上述したように連結部４０を連結シート４１，４２から構成するのではなく、一端が内装トレイ２０に接合され、他端が外装箱１ａに接合された１本または複数本のベルトから連結部を構成することも考えられる。その場合、図５を用いて説明した効果を得ることはできないものの、上記同様に内装トレイ２０の外装箱１ａからの一定量以上の引き出しを防止することができる。
【００４８】
上述した保冷箱１は、扉部４ａ，４ｂによる開口部分にカーテンを取り付けることにより、保冷効果をさらに向上させることができる。
【００４９】
図６は、図１に示した保冷箱１にカーテンを取り付けた構成例を示す図である。
【００５０】
図１に示した保冷箱１においては、図６に示すように、扉部４ａ，４ｂによる開口部分に、複数枚のビニルシート８ａ〜８ｆからなるカーテンを取り付けることが考えられる。
【００５１】
その場合、断熱板１２に接合された一定幅を有するシートに面ファスナー（不図示）を取り付け、この面ファスナーによってビニルシート８ａ〜８ｆを取り外し可能に取り付けることが考えられる。ビニルシート８ａ〜８ｆによって構成されたカーテンにより、扉部４ａ，４ｂが開けられた状態においても、保冷箱１内の冷気が外部に逃げにくくなり、保冷効果を向上させることができる。
【００５２】
なお、ビニルシート８ａ〜８ｆを、その一部が重なり合うように配置することで、保冷効果をさらに向上させることができる。また、ビニルシート８ａ〜８ｆを透明な材料から構成することにより、保冷箱１内に収容された物品７がカーテンによって見えなくなってしまうことを回避することができる。
【００５３】
以下に、上述した保冷箱１の具体的な使用例について説明する。
【００５４】
図７は、図１及び図２に示した保冷箱１の具体的な使用状態の一例を示す図である。
【００５５】
図１及び図２に示した保冷箱１は、例えば図７に示すように、２段に積み重ねられた状態で台車９に載せられて使用される。
【００５６】
２段に積み重ねられた保冷箱１は、上側の保冷箱１の面ファスナー５ｆに、下側の保冷箱１の接合舌部５ｄの面ファスナー５ｆを嵌合させることで、積み重ね状態が保持される。そして、保冷箱１の固定ベルト３ｂを台車９のフレームに掛けることで、台車９に固定され、台車９によって搬送されることになる。
【００５７】
（第２の実施の形態）
図８は、本発明の保冷箱の第２の実施の形態を示す図であり、（ａ）は外観斜視図、（ｂ）は内部の構造を示す図である。
【００５８】
本形態は図８に示すように、第１の実施の形態にて示したものに対して、内装トレイ１２０の外装箱１０１ａからの一定量以上の引き出しを防止する引き出し規制手段の形態が異なる。本形態における引き出し規制手段は、一端が、外装箱１０１ａのうち扉部１０４ａ，１０４ｂを有する面において断熱板１１２と断熱板１１５ａ，１１５ｂとの連接部分に接合され、他端が、内装トレイ１２０を構成する断熱板１２２の引き出し方向手前側の端辺の両端部にそれぞれ接合された２本の連結ベルト１４０から構成されている。この２本の連結ベルト１４０によって、内装トレイ１２０と外装箱１０１ａとが連結した状態となっている。
【００５９】
なお、本形態における連結ベルト１４０においても、第１の実施の形態に示したものと同様に、外装箱１０１ａに接合された部分と、内装トレイ１２０に接合された部分とに２つに分割し、それらを面ファスナーで連結して構成することも考えられる。
【００６０】
以下に、上記のように構成された保冷箱１０１の使用方法について説明する。
【００６１】
図９は、図８に示した保冷箱１０１の使用方法を説明するための図であり、側面方向から保冷箱１０１の内部構造を見た図である。
【００６２】
図８に示した保冷箱１０１を用いて物品を保冷する場合は、図９（ａ）に示すように、第１の実施の形態に示したものと同様に、凝固した保冷材１０６を収納ポケット１３０に収納するとともに、保冷する物品１０７を内装トレイ１２０上に載置し、内装トレイ１２０が保冷箱１０１内に収容された状態で扉部１０４ａ，１０４ｂを閉じることで、保冷箱１０１の内部の温度が保冷材１０６によって低温に保たれ、物品１０１が保冷されることとなる。その際、連結ベルト１４０が撓んだ状態となることで、内装トレイ１２０を外装箱１０１ａ内に収容して扉部１０４ａ，１０４ｂを閉じることができる。
【００６３】
保冷箱１０１に収容された物品１０７を取り出す場合は、扉部１０４ａ，１０４ｂを開け、図９（ｂ）に示すように、断熱板１２２に取り付けられた取っ手１２３を掴んで内装トレイ１２０を外装箱１０１ａから引き出す。
【００６４】
内装トレイ１２０は、連結ベルト１４０を介して断熱板１１２，１１５ａ，１１５ｂの扉部１０４ａ，１０４ｂ側の側面に連結されているため、連結ベルト１４０を斜辺とした直角三角形の一辺の長さ分だけ引き出すことができ、それ以上引き出すことはできない。そのため、連結ベルト１４０の長さを長くすればそれだけ内装トレイ１２０の引き出し量を多くすることができるが、連結ベルト１４０の長さが、内装トレイ１２０が外装箱１０１ａから完全に引き出される程度のものであると、内装トレイ１２０が断熱板１１３上から脱落してしまうため、連結ベルト１４０は、内装トレイ１２０が外装箱１０１ａから一部しか引き出されない程度の長さとする必要がある。その場合、第１の実施の形態に示したものとは異なり、内装トレイ１２０が、引き出し方向手前側にて連結ベルト１４０を介して外装箱１０１ａに連結されているため、内装トレイ１２０が外装箱１０１ａから完全に引き出されない限り、内装トレイ１２０が不安定な状態となることはない。
【００６５】
本形態においても、上述したように内装トレイ１２０を外装箱１０１ａから引き出すことで、保冷箱１０１の手前側に収容された物品１０７を一旦取り出すことなく、保冷箱１０１の奥の方に収容された物品１０７を容易に取り出すことができるようになる。そして、そのような構成としながらも、連結ベルト１４０によって内装トレイ１２０の外装箱１０１ａからの一定量以上の引き出しを防止することにより、内装トレイ１２０が引き出されすぎて保冷箱１０１から脱落してしまうことが回避される。
【００６６】
（第３の実施の形態）
図１０は、本発明の保冷箱の第３の実施の形態を示す図であり、（ａ）は内装トレイを除いた内部の構造を示す図、（ｂ）は内装トレイの構造を示す図である。図１１は、図１０に示した保冷箱２０１における内装トレイ２２０の取付け構造を示す図であり、（ａ）は内装トレイ２２０が引き出されていない状態を示す図、（ｂ）は内装トレイ２２０が引き出された状態を示す図である。
【００６７】
本形態は図１０及び図１１に示すように、第１の実施の形態にて示したものに対して、内装トレイ２２０の外装箱２０１ａからの一定量以上の引き出しを防止する引き出し規制手段の形態が異なる。本形態における引き出し規制手段は、一端が断熱板２１５ａに接合され、他端が断熱板２１５ｂに接合された渡り紐２４０と、内装トレイ２２０の断熱板２２２に形成された孔部２２４とから構成されている。
【００６８】
なお、本形態における渡り紐２４０においても、第１の実施の形態に示したものと同様に、断熱板２１５ａに接合された部分と、断熱板２１５ｂに接合された部分とに２つに分割し、それらを面ファスナーで連結して構成することも考えられる。
【００６９】
渡り紐２４０は、内装トレイ２２０が外装箱２０１ａに収容された状態にて断熱板２１５ａ，２１５ｂが内装トレイ２２０に対向する領域のうち、内装トレイ２２０の引き出し方向中央部分にそれぞれ接合されている。
【００７０】
孔部２２４は、断熱板２２２の内装トレイ２２０の引き出し方向中央部分から奥側の端辺近傍までにおいて左右に貫通して形成されている。
【００７１】
そして、上記のように構成された渡り紐２４０が孔部２２４内を貫通した状態で、その両端が断熱板２１５ａ，２１５ｂに接合されている。
【００７２】
上記のように構成された保冷箱２０１においても、第１の実施の形態に示したものと同様に、内装トレイ２２０上に物品が載置された状態で保冷箱２０１に収容され、収納ポケット２３０に収納された保冷材によって物品が保冷されることになる。その際、上述したように、渡り紐２４０が、内装トレイ２２０が外装箱２０１ａに収容された状態にて断熱板２１５ａ，２１５ｂが内装トレイ２２０に対向する領域のうち、内装トレイ２２０の引き出し方向中央部分にそれぞれ接合されているとともに、孔部２２４が、断熱板２２２の内装トレイ２２０の引き出し方向中央部分から奥側の端辺近傍までにおいて左右に貫通して形成されているため、図１１（ａ）に示すように、渡り紐２４０が孔部２２４内を貫通した状態で内装トレイ２２０を外装箱２０１ａに収容することができる。
【００７３】
保冷箱２０１に収容された物品を取り出すために内装トレイ２２０を外装箱２０１ａから引き出していくと、図１１（ｂ）に示すように、渡り紐２４０が、孔部２２４の内装トレイ２２０の奥側の内側面に当接し、内装トレイ２２０をそれ以上引き出すことができなくなる。ここで、渡り紐２４０は、上述したように、内装トレイ２２０が外装箱２０１ａに収容された状態にて断熱板２１５ａ，２１５ｂが内装トレイ２２０に対向する領域のうち、内装トレイ２２０の引き出し方向中央部分にそれぞれ接合されているため、内装トレイ２２０は、外装箱２０１ａから半分程度引き出された状態で、それ以上引き出さなくなる。
【００７４】
なお、断熱板２１５ａ，２１５ｂにおける渡り紐２４０の接合箇所や、内装トレイ２２０の引き出し方向における孔部２２４の幅によっては、内装トレイ２２０の引き出し量を多くすることができるが、内装トレイ２２０の引き出された部分の大きさによっては、内装トレイ２２０が不安定な状態となり、内装トレイ２２０上に載置された物品が脱落してしまう虞れがある。そのため、断熱板２１５ａ，２１５ｂにおける渡り紐２４０の接合箇所や、内装トレイ２２０の引き出し方向における孔部２２４の幅は、内装トレイ２２０が、多くとも外装箱２０１ａから半分程度引き出された状態でそれ以上引き出せなくなる程度のものであることが好ましい。
【００７５】
本形態においても、上述したように内装トレイ２２０を外装箱２０１ａから引き出すことで、保冷箱２０１の手前側に収容された物品を一旦取り出すことなく、保冷箱２０１の奥の方に収容された物品を容易に取り出すことができるようになる。そして、そのような構成としながらも、渡り紐２４０及び孔部２２４によって内装トレイ２２０の外装箱２０１ａからの一定量以上の引き出しを防止することにより、内装トレイ２２０が引き出されすぎて保冷箱２０１から脱落してしまうことが回避される。
【００７６】
なお、本形態においては、内装トレイ２２０を構成する断熱板２２２の一部に孔部２２４が形成されているため、孔部２２４が形成された部分においては断熱板２２２による保冷効果が減少することになるが、断熱板２１５ａ，２１５ｂにおける渡り紐２４０の接合箇所と、内装トレイ２２０の引き出し方向における孔部２２４の幅を、内装トレイ２２０が、多くとも外装箱２０１ａから半分程度引き出された状態でそれ以上引き出せなく程度となるものとすれば、図１１（ｂ）に示したように、内装トレイ２２０を外装箱２０１ａから引き出した状態においても、断熱板２２２の孔部２２４が形成された領域の下部には、底面２０３の断熱板２１３が存在することとなり、それにより、内装トレイ２２０上に載置された物品が、内装トレイ２２０の下面から外気によって暖められてしまうことを抑制することができる。
【００７７】
（第４の実施の形態）
図１２は、本発明の保冷箱の第４の実施の形態を示す図であり、（ａ）は外観斜視図、（ｂ）は内部の構造を示す図である。
【００７８】
本形態は図１２に示すように、第１の実施の形態にて示したものに対して、扉部３０４が観音開き構造ではなく、底面３０３との連接辺を軸として開閉自在となっている点が異なるものである。本形態の保冷箱３０１における扉部３０４は、一端が側面３０５ａ，３０５ｂにそれぞれ接合された支え紐３５０の他端が接合されることで、底面３０３と平行な状態までしか開かないようになっている。
【００７９】
以下に、上記のように構成された保冷箱３０１の使用方法について説明する。
【００８０】
図１３は、図１２に示した保冷箱３０１の使用方法を説明するための図であり、側面方向から保冷箱３０１の内部構造を見た図である。
【００８１】
図１２に示した保冷箱３０１を用いて物品を保冷する場合は、図１３（ａ）に示すように、第１の実施の形態に示したものと同様に、凝固した保冷材３０６を収納ポケット３３０に収納するとともに、保冷する物品３０７を内装トレイ３２０上に載置し、内装トレイ３２０が保冷箱３０１内に収容された状態で扉部３０４を閉じることで、保冷箱３０１の内部の温度が保冷材３０６によって低温に保たれ、物品３０７が保冷されることとなる。
【００８２】
保冷箱３０１に収容された物品３０７を取り出す場合は、扉部３０４を開け、図１３（ｂ）に示すように、断熱板３２２に取り付けられた取っ手３２３を掴んで内装トレイ３２０を外装箱３０１ａから引き出す。
【００８３】
内装トレイ３２０は、連結シート３４１，３４２からなる連結部３４０を介して側面３０５ｃの断熱板３１５ｃと底面３０３の断熱板３１３との連接辺に連結されているため、連結シート３４１，３４２の連結方向における連結部３４０の長さだけ引き出すことができ、それ以上引き出すことはできない。また、内装トレイ３２０を外装箱３０１ａから引き出す際、扉部３０４が、支え紐３５０によって底面３０３と平行な状態までしか開かないようになっていることにより、内装トレイ３２０を、断熱板３１４上を手前にスライドさせながら外装箱３０１ａから引き出すことができる。さらに、内装トレイ３２０が外装箱３０１ａから引き出された状態においては、内装トレイ３２０の下部に、支え紐３５０によって支えられた扉部３０４及び断熱板３１４が存在するため、内装トレイ３２０が不安定な状態となることはない。
【００８４】
そのため、第１の実施の形態にて示したものとは異なり、連結ベルト３４０の長さが、内装トレイ３２０が外装箱３０１ａから完全に引き出される程度のものであったとしても、引き出された内装トレイ３２０が断熱板３１４上に載置された状態となる限りにおいては、内装トレイ３２０上に載置された物品３０７が脱落してしまうことがなくなる。
【００８５】
本形態においても、上述したように内装トレイ３２０を外装箱３０１ａから引き出すことで、保冷箱３０１の手前側に収容された物品３０７を一旦取り出すことなく、保冷箱３０１の奥の方に収容された物品３０７を容易に取り出すことができるようになる。そして、そのような構成としながらも、連結部３４０によって内装トレイ３２０の外装箱３０１ａからの一定量以上の引き出しを防止することにより、内装トレイ３２０が引き出されすぎて保冷箱３０１から脱落してしまうことが回避される。
【００８６】
なお、本形態においては、断熱板３１３，３２２に加えて断熱板３１４にもレールを設け、このレールに沿って内装トレイ３２０が引き出される構成とすることで、内装トレイ３２０を外装箱３０１ａからスムーズに引き出すことができる。
【００８７】
なお、上述した実施の形態においては、外装箱１ａ，１０１ａ，２０１ａ，３０１ａが、扉部４ａ，４ｂ，１０４ａ，１０４ｂ，２０４ａ，２０４ｂ，３０４によってその１つの側面が開閉自在に構成されたものとなっているが、他の側面についても、開閉自在に構成されたものとしてもよい。
【００８８】
また、天面や側面の断熱板に取り付けられる収納ポケットの数は、上述した実施の形態にて図示した数に限らない。
【符号の説明】
【００８９】
１，１０１，２０１，３０１    保冷箱
１ａ，１０１ａ，２０１ａ，３０１ａ    外装箱
２，１０２，２０２，３０２    天面
３，１０３，２０３，３０３    底面
３ｂ    固定ベルト
４ａ，４ｂ，１０４ａ，１０４ｂ，２０４ａ，２０４ｂ，３０４    扉部
４ｃ，１０４ｃ，２０４ｃ    覆部
４ｄ，１０４ｄ，２０４ｄ，３０４ｄ    接合ベルト
５ａ〜５ｃ，１０５ａ，１０５ｃ，２０５ｃ，３０５ａ〜３０５ｃ    側面
５ｄ，１０５ｄ    接合舌部
６，１０６，２０６    保冷材
７，１０７，３０７    物品
８ａ〜８ｆ    ビニルシート
９    台車
１２，１３，１４ａ，１４ｂ，１５ａ〜１５ｃ，２２，１１２，１１３，１１４ａ，１１４ｂ，１１５ａ〜１１５ｃ，１２２，２１２，２１３，２１４ａ，２１４ｂ，２１５ａ〜２１５ｃ，２２２，３１２，３１３，３１４，３１５ａ〜３１５ｃ，３２２    断熱板
２０，１２０，２２０，３２０    内装トレイ
２１，１２１，２２１，３２１    平板
２３，１２３，２２３，３２３    取っ手
３０，１３０，２３０，３３０    収納ポケット
４０，１４０，３４０    連結ベルト
４１，４２，３４１，３４２    連結シート
２２４    孔部
２４０    渡り紐
３５０    支え紐
【図１】
0006560912.tif 000002
【図２】
0006560912.tif 000003
【図３】
0006560912.tif 000004
【図４】
0006560912.tif 000005
【図５】
0006560912.tif 000006
【図６】
0006560912.tif 000007
【図７】
0006560912.tif 000008
【図８】
0006560912.tif 000009
【図９】
0006560912.tif 000010
【図１０】
0006560912.tif 000011
【図１１】
0006560912.tif 000012
【図１２】
0006560912.tif 000013
【図１３】
0006560912.tif 000014